【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
移動通信端末機が公衆移動通信ネットワークと連動する私設移動通信ネットワークに進入する場合に、使用者に私設移動通信システムを提供する方法であって、
私設移動通信システムからブロードキャスティングされるシステムパラメータメッセージを受信すると、該システムパラメータメッセージ内の私設移動通信サービス領域であることを表す所定ビットを検査する段階と、
私設移動通信サービス領域内であると、私設移動通信サービスを受けるための所定の登録タイプを含めた位置登録メッセージを私設移動通信システムに転送する段階と、
私設移動通信システムから、私設移動通信システムの登録結果情報に基づいて私設移動通信サービス関連命令を含むメッセージを受信する段階と、
前記受信されたメッセージに含まれた命令を遂行する段階と、
を含むことを特徴とする方法。
【請求項２】
前記私設移動通信サービス関連命令を含むメッセージは、私設移動通信サービス関連命令を表す所定のフィールドを含むＦＮＭである請求項１記載の方法。
【請求項３】
前記命令は、前記移動通信端末機にマナーモード変換機能を遂行するようにする命令であることを特徴とする請求項１記載の方法。
【請求項４】
移動通信端末機が公衆移動通信ネットワークと連動する私設移動通信ネットワークに進入する場合に、使用者に私設移動通信サービスを提供する方法であって、
私設移動通信システムからブロードキャスティングされるシステムパラメータメッセージを受信すると、該システムパラメータメッセージ内の私設移動通信サービス領域であることを表す所定ビットを検査する段階と、
私設移動通信サービス領域内であると、私設移動通信サービスを受けるための所定の登録タイプを含めた位置登録メッセージを私設移動通信システムに転送する段階と、
私設移動通信サービス関連命令を含むメッセージを受信する段階と、
前記受信されたメッセージに含まれた命令を遂行する段階と、
を含むことを特徴とする方法。
【請求項５】
前記私設移動通信サービス関連命令を含むメッセージは、私設移動通信サービス関連命令を表す所定のフィールドを含むＦＮＭである請求項４記載の方法。
【請求項６】
所定のフィールドは、IS-95 Information Records ElementのCHARiフィールドである請求項５記載の方法。
【請求項７】
前記命令は、前記移動通信端末機にマナーモード変換機能を遂行するようにする命令であることを特徴とする請求項４記載の方法。
【請求項８】
公衆移動通信ネットワークと連動する私設移動通信システムで移動通信端末機に私設移動通信システムを提供する方法であって、
私設移動通信サービス領域内の一つ以上の移動通信端末機に、私設移動通信サービス領域であることを表す所定のビットを含めたシステムパラメータメッセージをブロードキャスティングする段階と、
移動通信端末機から私設移動通信システムへ登録を要求する所定の登録タイプを含めた登録メッセージを受信する段階と、
私設移動通信システムの加入者データベースを検索して移動通信端末機が登録されているか否かを判断し、その結果に応じて移動通信端末機を位置登録する段階と、
私設移動通信サービス関連命令を含むメッセージを前記移動通信端末機に転送する段階と、
を含むことを特徴とする方法。
【請求項９】
前記私設移動通信サービス関連命令を含むメッセージは、私設移動通信サービス関連命令を表す所定のフィールドを含むＦＮＭである請求項８記載の方法。
【請求項１０】
所定フィールドは、IS-95 Information Records ElementのCHARiフィールドである請求項９記載の方法。
【請求項１１】
公衆移動通信ネットワークと連動する私設移動通信システムで移動通信端末機に私設移動通信サービスを提供する方法であって、
私設移動通信サービス領域内の一つ以上の移動通信端末機に、私設移動通信サービス領域であることを表す所定ビットを含めたシステムパラメータメッセージをブロードキャスティングする段階と、
移動通信端末機から私設移動通信システムへ登録を要求する所定の登録タイプを含めた登録メッセージを受信する段階と、
登録メッセージを受信すると、移動通信端末機を位置登録する段階と、
私設移動通信サービス関連命令を含むメッセージを移動通信端末機に転送する段階と、
を含むことを特徴とする方法。
【請求項１２】
私設移動通信サービス関連命令を含むメッセージは、私設移動通信サービス関連命令を表す所定のフィールドを含むＦＮＭである請求項１１記載の方法。
【請求項１３】
所定フィールドは、IS-95 Information Records ElementのCHARiフィールドである請求項１２記載の方法。
【請求項１４】
一つ以上の移動通信端末機が移動通信ネットワークの特定領域内に進入する場合に、移動通信システムで移動通信端末機に移動通信ネットワークの特定領域サービスを提供する方法であって、
移動通信サービス領域内の移動通信端末機に特定領域内であることを表す所定ビットを含めたシステムパラメータメッセージをブロードキャスティングする段階と、
移動通信端末機から移動通信システムへ登録を要求する所定の登録タイプを含めた登録メッセージを受信する段階と、
移動通信システムの加入者データベースを検索して移動通信端末機が登録されているか否かを判断し、その結果によって移動通信端末機を位置登録する段階と、
特定領域サービス関連命令を含むメッセージを移動通信端末機に転送する段階と、
を含むことを特徴とする方法。
【請求項１５】
前記特定領域サービス関連命令を含むメッセージは、特定領域サービス関連命令を表す所定のフィールドを含むＦＮＭである請求項１４記載の方法。
【請求項１６】
所定フィールドは、IS-95 Information Records ElementのCHARiフィールドである請求項１５記載の方法。
【請求項１７】
前記命令は、前記移動通信端末機にマナーモード変換機能を遂行するようにする命令であることを特徴とする請求項１４記載の方法。
【請求項１８】
移動通信端末機が移動通信システムの特定領域内に進入する場合に、移動通信ネットワークの特定領域サービスを使用者に提供する方法であって、
移動通信端末機が、移動通信システムからブロードキャスティングされるシステムパラメータメッセージを受信すると、該システムパラメータメッセージ内の特定領域であることを表す所定ビットを検査し、特定領域のサービス領域内にいるかを判断する段階と、
特定領域のサービス領域内であると、移動通信システムに登録を要求する所定の登録タイプを含めた登録メッセージを転送する段階と、
移動通信システムから移動通信ネットワークの特定領域のサービス関連命令を含むメッセージを受信する段階と、
前記受信されたメッセージに含まれた命令を遂行する段階と、
を含むことを特徴とする方法。
【請求項１９】
前記命令は、前記移動通信端末機にマナーモード変換機能を遂行するようにする命令であることを特徴とする請求項１８記載の方法。
【請求項２０】
移動通信端末機が公衆移動通信ネットワークと連動する私設移動通信ネットワークに進入する場合に、使用者に私設移動通信サービスを提供する方法が、
私設移動通信システムからブロードキャスティングされるシステムパラメータメッセージを受信すると、該システムパラメータメッセージ内の私設移動通信サービス領域であることを表す所定ビットを検査する段階と、
私設移動通信サービス領域内であると、私設移動通信サービスを受けるための所定の登録タイプを含めた位置登録メッセージを私設移動通信システムに転送する段階と、
私設移動通信システムから私設移動通信サービス関連命令を含むメッセージを受信する段階と、
を含み、該方法を行うためのコンピュータ実行可能命令が記録されたコンピュータ読取可能媒体。
【請求項２１】
私設移動通信サービス関連命令を含むメッセージは、私設移動通信サービス関連命令を表す所定のフィールドを含むＦＮＭである請求項２０記載のコンピュータ読取可能媒体。
【請求項２２】
移動通信端末機が私設移動通信ネットワークに進入する場合に、使用者に私設移動通信システムを提供する方法であって、
私設移動通信システムからブロードキャスティングされるシステムパラメータメッセージを受信すると、該システムパラメータメッセージ内の私設移動通信サービス領域であることを表す所定ビットを検査する段階と、
私設移動通信サービス領域内であると、私設移動通信サービスを受けるための所定の登録タイプを含めた位置登録メッセージを私設移動通信システムに転送する段階と、
私設移動通信システムから、私設移動通信サービス関連命令を含むメッセージを受信する段階と、
前記受信されたメッセージに含まれた命令を遂行する段階と、
を含むことを特徴とする方法。
【手続補正２】
【補正対象書類名】明細書
【補正対象項目名】００１０
【補正方法】変更
【補正の内容】
【００１０】
このような目的を達成するために、本発明は、移動通信端末機が公衆移動通信ネットワークと連動する私設移動通信ネットワークに進入する場合に、使用者に私設移動通信システムを提供する方法であって、私設移動通信システムからブロードキャスティング(Broadcasting)されるシステムパラメータメッセージを受信すると、該システムパラメータメッセージ内の私設移動通信サービス領域であることを表す所定ビットを検査する段階と、私設移動通信サービス領域内であると、私設移動通信サービスを受けるための所定の登録タイプ(registration type)を含めた位置登録メッセージを私設移動通信システムに転送する段階と、私設移動通信システムから、私設移動通信システムの登録結果情報に基づいて私設移動通信サービス関連命令を含むメッセージを受信する段階と、前記受信されたメッセージに含まれた命令を遂行する段階と、を含むことを特徴とする方法を提案する。
【手続補正３】
【補正対象書類名】明細書
【補正対象項目名】００１１
【補正方法】変更
【補正の内容】
【００１１】
この方法で、私設移動通信サービス関連命令を含むメッセージは、私設移動通信サービス関連命令を表す所定のフィールドを含むＦＮＭ(Feature Notification Message)であるとよい。
【手続補正４】
【補正対象書類名】明細書
【補正対象項目名】００１２
【補正方法】変更
【補正の内容】
【００１２】
上記の命令は、移動通信端末機にマナーモード変換機能を遂行するように指示する命令とするとよい。
【手続補正５】
【補正対象書類名】明細書
【補正対象項目名】００１３
【補正方法】変更
【補正の内容】
【００１３】
また、本発明では、移動通信端末機が公衆移動通信ネットワークと連動する私設移動通信ネットワークに進入する場合に、使用者に私設移動通信サービスを提供する方法であって、私設移動通信システムからブロードキャスティングされるシステムパラメータメッセージを受信すると、該システムパラメータメッセージ内の私設移動通信サービス領域であることを表す所定ビットを検査する段階と、私設移動通信サービス領域内であると、私設移動通信サービスを受けるための所定の登録タイプを含めた位置登録メッセージを私設移動通信システムに転送する段階と、私設移動通信サービス関連命令を含むメッセージを受信する段階と、該受信されたメッセージに含まれた命令を遂行する段階と、を含むことを特徴とする方法を提案する。
【手続補正６】
【補正対象書類名】明細書
【補正対象項目名】００１４
【補正方法】変更
【補正の内容】
【００１４】
この方法で、私設移動通信サービス関連命令を含むメッセージは、私設移動通信サービス関連命令を表す所定のフィールドを含むＦＮＭであるとよい。
【手続補正７】
【補正対象書類名】明細書
【補正対象項目名】００１６
【補正方法】変更
【補正の内容】
【００１６】
上記の命令は、移動通信端末機にマナーモード変換機能を遂行するように指示する命令とするとよい。
【手続補正８】
【補正対象書類名】明細書
【補正対象項目名】００１７
【補正方法】変更
【補正の内容】
【００１７】
さらに、本発明では、公衆移動通信ネットワークと連動する私設移動通信システムで移動通信端末機に私設移動通信システムを提供する方法であって、私設移動通信サービス領域内の一つ以上の移動通信端末機に、私設移動通信サービス領域であることを表す所定のビットを含めたシステムパラメータメッセージをブロードキャスティングする段階と、移動通信端末機から私設移動通信システムへ登録を要求する所定の登録タイプを含めた登録メッセージを受信する段階と、私設移動通信システムの加入者データベースを検索して移動通信端末機が登録されているか否かを判断し、その結果に応じて移動通信端末機を位置登録する段階と、私設移動通信サービス関連命令を含むメッセージを前記移動通信端末機に転送する段階と、を含むことを特徴とする方法をも提案する。
【手続補正９】
【補正対象書類名】明細書
【補正対象項目名】００１８
【補正方法】変更
【補正の内容】
【００１８】
この方法で、私設移動通信サービス関連命令を含むメッセージは、私設移動通信サービス関連命令を表す所定のフィールドを含むＦＮＭであるとよい。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
さらにまた、本発明では、公衆移動通信ネットワークと連動する私設移動通信システムで移動通信端末機に私設移動通信サービスを提供する方法であって、私設移動通信サービス領域内の一つ以上の移動通信端末機に、私設移動通信サービス領域であることを表す所定ビットを含めたシステムパラメータメッセージをブロードキャスティングする段階と、移動通信端末機から私設移動通信システムへ登録を要求する所定の登録タイプを含めた登録メッセージを受信する段階と、登録メッセージを受信すると、移動通信端末機を位置登録する段階と、私設移動通信サービス関連命令を含むメッセージを移動通信端末機に転送する段階と、を含むことを特徴とする方法をも提案する。
【手続補正１２】
【補正対象書類名】明細書
【補正対象項目名】００２２
【補正方法】変更
【補正の内容】
【００２２】
この方法で、私設移動通信サービス関連命令を含むメッセージは、私設移動通信サービス関連命令を表す所定のフィールドを含むＦＮＭであるとよい。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】変更
【補正の内容】
【００２５】
さらにまた、本発明では、一つ以上の移動通信端末機が移動通信ネットワークの特定領域内に進入する場合に、移動通信システムで移動通信端末機に移動通信ネットワークの特定領域サービスを提供する方法であって、移動通信サービス領域内の移動通信端末機に特定領域内であることを表す所定ビットを含めたシステムパラメータメッセージをブロードキャスティングする段階と、  移動通信端末機から移動通信システムへ登録を要求する所定の登録タイプを含めた登録メッセージを受信する段階と、移動通信システムの加入者データベースを検索して移動通信端末機が登録されているか否かを判断し、その結果によって移動通信端末機を位置登録する段階と、特定領域サービス関連命令を含むメッセージを移動通信端末機に転送する段階と、を含むことを特徴とする方法を提案する。
【手続補正１５】
【補正対象書類名】明細書
【補正対象項目名】００２６
【補正方法】変更
【補正の内容】
【００２６】
この方法で、特定領域サービス関連命令を含むメッセージは、特定領域サービス関連命令を表す所定のフィールドを含むＦＮＭであるとよい。
【手続補正１６】
【補正対象書類名】明細書
【補正対象項目名】００２８
【補正方法】変更
【補正の内容】
【００２８】
上記の命令は、移動通信端末機にマナーモード変換機能を遂行するように指示する命令とするとよい。
【手続補正１７】
【補正対象書類名】明細書
【補正対象項目名】００２９
【補正方法】変更
【補正の内容】
【００２９】
さらにまた、本発明では、移動通信端末機が移動通信システムの特定領域内に進入する場合に、移動通信ネットワークの特定領域サービスを使用者に提供する方法であって、移動通信端末機が、移動通信システムからブロードキャスティングされるシステムパラメータメッセージを受信すると、該システムパラメータメッセージ内の特定領域であることを表す所定ビットを検査し、特定領域のサービス領域内にいるかを判断する段階と、特定領域のサービス領域内であると、移動通信システムに登録を要求する所定の登録タイプを含めた登録メッセージを転送する段階と、移動通信システムから移動通信ネットワークの特定領域のサービス関連命令を含むメッセージを受信する段階と、該受信されたメッセージに含まれた命令を遂行する段階と、を含むことを特徴とする方法も提案する。
【手続補正１８】
【補正対象書類名】明細書
【補正対象項目名】００３０
【補正方法】変更
【補正の内容】
【００３０】
上記の命令は、移動通信端末機にマナーモード変換機能を遂行するように指示する命令とするとよい。
【手続補正１９】
【補正対象書類名】明細書
【補正対象項目名】００３１
【補正方法】変更
【補正の内容】
【００３１】
さらにまた、本発明では、移動通信端末機が公衆移動通信ネットワークと連動する私設移動通信ネットワークに進入する場合に、使用者に私設移動通信サービスを提供する方法が、私設移動通信システムからブロードキャスティングされるシステムパラメータメッセージを受信すると、該システムパラメータメッセージ内の私設移動通信サービス領域であることを表す所定ビットを検査する段階と、私設移動通信サービス領域内であると、私設移動通信サービスを受けるための所定の登録タイプを含めた位置登録メッセージを私設移動通信システムに転送する段階と、私設移動通信システムから私設移動通信サービス関連命令を含むメッセージを受信する段階と、を含み、この方法を行うためのコンピュータ実行可能命令が記録されたコンピュータ読取可能媒体を提供する。
【手続補正２０】
【補正対象書類名】明細書
【補正対象項目名】００３２
【補正方法】変更
【補正の内容】
【００３２】
私設移動通信サービス関連命令を含むメッセージは、私設移動通信サービス関連命令を表す所定のフィールドを含むＦＮＭであるとよい。
【手続補正２１】
【補正対象書類名】明細書
【補正対象項目名】００３３
【補正方法】変更
【補正の内容】
【００３３】
さらにまた、本発明では、移動通信端末機が私設移動通信ネットワークに進入する場合に、使用者に私設移動通信システムを提供する方法であって、私設移動通信システムからブロードキャスティングされるシステムパラメータメッセージを受信すると、該システムパラメータメッセージ内の私設移動通信サービス領域であることを表す所定ビットを検査する段階と、私設移動通信サービス領域内であると、私設移動通信サービスを受けるための所定の登録タイプを含めた位置登録メッセージを私設移動通信システムに転送する段階と、私設移動通信システムから、私設移動通信サービス関連命令を含むメッセージを受信する段階と、該受信されたメッセージに含まれた命令を遂行する段階と、を含むことを特徴とする方法をも提供する。
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】